(57)【要約】      （修正有）【課題】液晶装置等の電気光学装置において、冷却効率を向上させる。【解決手段】電気光学装置は、電気光学パネル５００と、この電気光学パネルを保持する保持部材６１０とを備える。保持部材６１０は、電気光学パネル５００の第１辺に沿って延びる第１保持部分６１１ａと、電気光学パネルの第１辺に交差する第２辺に沿って延びる第２保持部分６１２ａ、６１２ｂとを有し、第１辺は、冷却風が流入する方向と交差し、第１保持部分６１１ａは、電気光学パネルの光入射側及び光出射側の少なくとも一方のパネル面と面一であるように形成され、第２保持部分６１２ａ、６１２ｂは、少なくとも一方のパネル面より突出するように形成される。【選択図】図５
2015232716.tif 000002
【特許請求の範囲】
【請求項１】
電気光学パネルと、
該電気光学パネルを保持する保持部材と
を備え、
前記保持部材は、
前記電気光学パネルの第１辺に沿って延びる第１保持部分と、
前記電気光学パネルの前記第１辺に交差する第２辺に沿って延びる第２保持部分と
を有し、
前記第１辺は、冷却風が流入する方向と交差し、
前記第１保持部分は、前記電気光学パネルの光入射側及び光出射側の少なくとも一方のパネル面と面一であるように形成され、
前記第２保持部分は、前記少なくとも一方のパネル面より突出するように形成される
ことを特徴とする電気光学装置。
【請求項２】
前記第２保持部分は、前記電気光学パネルの前記光入射側及び光出射側の両方のパネル面の各々より突出するように形成されることを特徴とする請求項１に記載の電気光学装置。
【請求項３】
請求項１又は２に記載の電気光学装置を備えることを特徴とする電子機器。
【発明の詳細な説明】
【技術分野】
【０００１】
本発明は、例えば液晶装置等の電気光学装置、及び該電気光学装置を備えた、例えば液晶プロジェクター等の電子機器の技術分野に関する。
【背景技術】
【０００２】
この種の電気光学装置は、例えば液晶パネル等の電気光学パネルが枠状のフレーム或いはケースに収容されてなり、例えば液晶プロジェクター等のライトバルブとして用いられる（例えば特許文献１から３参照）。例えば液晶プロジェクターでは、光源からの強力な投射光が入射されること等による顕著な温度上昇を防止するために、電気光学装置を冷却風により冷却する。例えば特許文献１には、テーパー部を含む冷却風導入部をケースに設けることにより、電気光学装置の温度上昇を抑制する技術が開示されている。例えば特許文献２では、冷却風を案内する連結枠が開示されている。
【先行技術文献】
【特許文献】
【０００３】
【特許文献１】特開２００４−２１２９５６号公報
【特許文献２】特開２００２−７２３５３号公報
【特許文献３】特開２００５−１５６６７５号公報
【発明の概要】
【発明が解決しようとする課題】
【０００４】
しかしながら、例えば特許文献１や２に開示された技術では、電気光学装置の冷却効率を十分に向上させることができないおそれがあるという技術的問題点がある。
【０００５】
本発明は、例えば前述した問題点に鑑みなされたものであり、冷却効率を向上させることが可能な電気光学装置及びこのような電気光学装置を備える電子機器を提供することを課題とする。
【課題を解決するための手段】
【０００６】
本発明の電気光学装置は上記課題を解決するために、電気光学パネルと、該電気光学パネルを保持する保持部材とを備え、前記保持部材は、前記電気光学パネルの第１辺に沿って延びる第１保持部分と、前記電気光学パネルの前記第１辺に交差する第２辺に沿って延びる第２保持部分とを有し、前記第１辺は、冷却風が流入する方向と交差し、前記第１保持部分は、前記電気光学パネルの光入射側及び光出射側の少なくとも一方のパネル面と面一であるように形成され、前記第２保持部分は、前記少なくとも一方のパネル面より突出するように形成される。
【０００７】
本発明の電気光学装置によれば、その動作時には、例えば液晶パネル等である電気光学パネルの画素領域において表示が行われる。なお、「画素領域」とは、個々の画素の領域を意味するのではなく、複数の画素が平面配列された領域全体を意味し、典型的には、「画像表示領域」或いは「表示領域」に相当する。保持部材は、典型的には、画素領域に対応する開口部が形成されると共に、電気光学パネルをその周縁側から包囲する。電気光学パネルは、例えば、一対の基板間に液晶等の電気光学物質を挟持してなる。電気光学装置の動作時には、電気光学パネルの一方のパネル面に光源からの光が入射され、この入射された光が電気光学物質により変調されて、他方のパネル面から表示光として出射される。
【０００８】
なお、電気光学パネルは、一対の基板の少なくとも一方における電気光学物質に対向しない側の基板面に防塵用基板を有していてもよい。電気光学パネルが防塵用基板を有する場合、防塵用基板における電気光学物質に対向しない側の基板面が電気光学パネルのパネル面となる。防塵用基板のデフォーカス作用により、電気光学パネルのパネル面において画素領域に付着した埃や塵等の粉塵が有効画面に映りこんだとしても、ピンボケの状態で表示され、明確に視認されるのを防止することができる。従って、より確実に電気光学装置において高品質な表示を行うことが可能となる。
【０００９】
本発明では、電気光学パネルを冷却するための冷却風が、典型的には矩形平面形状を有する電気光学パネルの第１辺に交差する方向に沿って、例えばシロッコファン等から電気光学パネルに流入する。
【００１０】
本発明では特に、保持部材は、電気光学パネルの第１辺に沿って延びる第１保持部分と、電気光学パネルの第１辺に交差する第２辺に沿って延びる第２保持部分とを有し、第１保持部分は、電気光学パネルの光入射側及び光出射側の少なくとも一方のパネル面と面一であるように形成され、第２保持部分は、少なくとも一方のパネル面より突出するように形成される。即ち、冷却風が流入する方向に交差する方向に沿って延びる第１保持部分は、電気光学パネルの光入射側のパネル面或いは光出射側のパネル面と面一であるように（即ち、第１保持部分の光入射側の面と電気光学パネルの光入射側のパネル面との間に段差がないように、或いは、第１保持部分の光出射側の面と電気光学パネルの光出射側のパネル面との間に段差がないように）形成され、冷却風が流入する方向に沿って延びる第２保持部分は、第１保持部分が面一であるように形成された電気光学パネルのパネル面より例えば光出射側或いは光入射側に突出するように形成される。
【００１１】
よって、冷却風を、電気光学パネルのパネル面上を第１辺側から該第１辺に対向する辺側に滑らかに流すことができ、冷却風によって電気光学パネルのパネル面から熱を効率的に放散することができる。したがって、冷却風による電気光学装置の冷却効率を向上させることが可能になる。この結果、電気光学物質等の熱による劣化を抑制することができ、高品質な表示を行うことが可能となる。
【００１２】
さらに、本発明によれば、第２保持部分が、少なくとも一方のパネル面より突出するように形成されるので、電気光学装置の製造プロセスにおいて、電気光学パネルのパネル面に物が当たることを低減或いは防止でき、パネル面に傷が付いてしまうことを低減或いは防止できる。
【００１３】
以上説明したように、本発明の電気光学装置によれば、冷却効率を向上させることができる。さらに、製造プロセスにおいて、電気光学パネルのパネル面に傷が付いてしまうことを低減或いは防止できる。
【００１４】
本発明の電気光学装置の一態様では、前記第２保持部分は、前記電気光学パネルの前記光入射側及び光出射側の両方のパネル面の各々より突出するように形成される。
【００１５】
この態様によれば、冷却効率をより一層向上させることができるとともに、電気光学パネルの両パネル面の各々に傷が付いてしまうことを低減或いは防止できる。
【００１６】
本発明の電子機器は上記課題を解決するために、前述した本発明の電気光学装置（但し、その各種態様も含む）を備える。
【００１７】
本発明の電子機器によれば、前述した本発明の電気光学装置を具備してなるので、高品質な表示を行うことが可能な、投射型表示装置、テレビ、携帯電話、電子手帳、ワードプロセッサー、ビューファインダー型又はモニター直視型のビデオテープレコーダー、ワークステーション、テレビ電話、ＰＯＳ端末、タッチパネルなどの各種電子機器を実現できる。また、本発明の電子機器として、例えば電子ペーパーなどの電気泳動装置等も実現することも可能である。
【００１８】
本発明の作用及び他の利得は次に説明する発明を実施するための形態から明らかにされる。
【図面の簡単な説明】
【００１９】
【図１】第１実施形態に係る投射型液晶プロジェクターの図式的断面図である。
【図２】第１実施形態に係る液晶パネルの平面図である。
【図３】図２のIII−III’線断面図である。
【図４】第１実施形態に係る液晶装置を液晶層に対して対向基板側から見た平面図である。
【図５】第１実施形態に係る液晶装置を液晶層に対してＴＦＴアレイ基板側から見た平面図である。
【図６】図５のVI−VI’線断面図である。
【図７】図５のVII−VII’線断面図である。
【図８】第１実施形態における冷却風の流れの一例を概念的に示す図（その１）である。
【図９】第１実施形態における冷却風の流れの一例を概念的に示す図（その２）である。
【図１０】第２実施形態に係る液晶装置の断面図である。
【図１１】第３実施形態に係る液晶装置を液晶層に対してＴＦＴアレイ基板側から見た平面図である。
【図１２】図１１のXII−XII’線断面図である。
【図１３】図１１のXIII−XIII’線断面図である。
【発明を実施するための形態】
【００２０】
本発明の実施形態について図を参照しつつ説明する。
【００２１】
＜第１実施形態＞
（電子機器）
先ず、本実施形態に係る電子機器の構成について、図１を参照して説明する。ここでは、本発明の電子機器として、投射型液晶プロジェクターを例にとる。
【００２２】
図１は、本実施形態に係る投射型液晶プロジェクターの図式的断面図である。
【００２３】
本実施形態に係る投射型液晶プロジェクターは、本発明の電気光学装置の一例である液晶装置が液晶ライトバルブとして３枚用いられてなる複板式カラープロジェクターとして構築されている。
【００２４】
図１において、液晶プロジェクター１１００は、それぞれＲＧＢ用の液晶ライトバルブ１００（即ち、液晶ライトバルブ１００Ｒ、１００Ｇ及び１００Ｂ）の３枚を用いた複板式カラープロジェクターとして構築されている。
【００２５】
液晶プロジェクター１１００では、メタルハライドランプ等の白色光源のランプユニット１１０２から投射光が発せられると、３枚のミラー１１０６及び２枚のダイクロイックミラー１１０８によって、ＲＧＢの３原色に対応する光成分Ｒ、Ｇ及びＢに分けられ、各色に対応する液晶ライトバルブ１００Ｒ、１００Ｇ及び１００Ｂに夫々導かれる。この際特にＢ光は、長い光路による光損失を防ぐために、入射レンズ１１２２、リレーレンズ１１２３及び出射レンズ１１２４からなるリレーレンズ系１１２１を介して導かれる。そして、液晶ライトバルブ１００Ｒ、１００Ｇ及び１００Ｂにより夫々変調された３原色に対応する光成分は、ダイクロイックプリズム１１１２により合成された後、投射レンズ１１１４を介してスクリーン１１２０にカラー映像として投射される。
【００２６】
液晶ライトバルブ１００は、後述の如きアクティブマトリクス駆動方式の液晶パネルが実装ケースに収容されてなる。
【００２７】
また、この液晶プロジェクター１１００には、液晶ライトバルブ１００Ｒ、１００Ｇ及び１００Ｂに冷却風を送るためのシロッコファン１３００が設けられている。このシロッコファン１３００は、その側面に複数のブレード１３０１を備えた略円筒形状の部材を含んでおり、該円筒形状の部材がその軸を中心として回転することでブレード１３０１が風を生じさせるようになっている。なお、このような原理から、シロッコファン１３００で作り出される風は、らせん状に渦巻いたものとなる。このような風は、図１には図示されない風路を通じて各液晶ライトバルブ１００Ｒ、１００Ｇ及び１００Ｂに送給され、各液晶ライトバルブ１００Ｒ、１００Ｇ及び１００Ｂの近傍に設けられた吹き出し口１００ＲＷ、１００ＧＷ及び１００ＢＷから、液晶ライトバルブ１００Ｒ、１００Ｇ及び１００Ｂの各々に対して送り出されるようになっている。
【００２８】
以上説明した構成においては、液晶ライトバルブ１００Ｒ、１００Ｇ及び１００Ｂの各実装ケースは、ダイクロイックプリズム１１１２の３つの側面に夫々付設されている。その各実装ケースからは、内部で液晶パネルと接続されたフレキシブル配線基板（以下、適宜「ＦＰＣ」と称す）が引き出されている。引き出されたＦＰＣの各端部は、ダイクロイックプリズム１１１２の上面側或いは下面側に曲げられて、外部コネクターに接続される。
【００２９】
また、このような液晶プロジェクター１１００の駆動時には、強力な光源たるランプユニット１１０２からの投射光により、液晶ライトバルブ１００において温度が上昇する。この際、過度に温度が上昇すると、液晶ライトバルブ１００内の液晶が劣化したり、光源光のむらによる部分的な液晶装置の加熱によるホットスポットの出現により透過率にムラが生じたりする。
【００３０】
そこで、本実施形態では特に、液晶ライトバルブ１００を以下のように構成し、冷却風による液晶ライトバルブ１００の冷却効率を向上させ、液晶ライトバルブ１００の温度上昇を効率的に抑制する。
【００３１】
（電気光学装置）
次に、本実施形態に係る電気光学装置について、図２から図９を参照して説明する。ここでは、本発明に係る電気光学装置として、駆動回路内蔵型のＴＦＴアクティブマトリクス駆動方式の液晶装置を例にとる。本実施形態に係る液晶装置は、液晶パネルが実装ケースに収容されて、前述した液晶プロジェクター１１００における液晶ライトバルブ１００Ｒ、１００Ｇ、１００Ｂとして使用されるものである。
【００３２】
先ず、本実施形態に係る液晶パネルの構成について、図２及び図３を参照して説明する。
【００３３】
図２は、本実施形態に係る液晶パネルの平面図であり、図３は、図２のIII−III’線断面図である。
【００３４】
図２及び図３において、本実施形態に係る液晶パネル５００は、ＴＦＴアレイ基板１０、対向基板２０、シール材５２、液晶層５０、並びに防塵用基板４０１及び４０２を備えている。
【００３５】
ＴＦＴアレイ基板１０と対向基板２０とは、互いに対向配置されている。ＴＦＴアレイ基板１０と対向基板２０との間に液晶層５０が封入されており、ＴＦＴアレイ基板１０と対向基板２０とは、複数の画素が配置された画像表示領域３０ａの周囲に位置するシール領域に設けられたシール材５２により相互に接着されている。シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバー或いはガラスビーズ等のギャップ材が散布されている。
【００３６】
シール材５２が配置されたシール領域の内側に並行して、複数の画素が配列されてなる画像表示領域３０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００３７】
画像表示領域３０ａの周辺に広がる周辺領域のうち、シール材５２が配置されたシール領域の外側に位置する領域には、データ線駆動回路１０１及び外部回路接続端子１０２がＴＦＴアレイ基板１０の一辺に沿って設けられている。この一辺に沿ったシール領域よりも内側に、サンプリング回路７が額縁遮光膜５３に覆われるようにして設けられている。また、走査線駆動回路１０４は、この一辺に隣接する２辺に沿い、且つ、額縁遮光膜５３に覆われるようにして設けられている。
【００３８】
ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００３９】
ＴＦＴアレイ基板１０上には、外部回路接続端子１０２と、データ線駆動回路１０１、走査線駆動回路１０４、上下導通端子１０６等とを電気的に接続するための引回配線９０が形成されている。
【００４０】
図３において、ＴＦＴアレイ基板１０上には、画素スイッチング用のＴＦＴ（Thin Film Transistor）や走査線、データ線等の配線が形成された後の画素電極９上に、図示しない配向膜が形成されている。他方、対向基板２０上には、対向電極２１の他、格子状又はストライプ状の遮光膜２３、更には最上層部分に図示しない配向膜が形成されている。また、液晶層５０は、例えば一種又は数種類のネマティック液晶を混合した液晶からなり、これら一対の配向膜間で、所定の配向状態をとる。
【００４１】
なお、図２及び図３に示したＴＦＴアレイ基板１０上には、これらのデータ線駆動回路１０１、走査線駆動回路１０４等に加えて、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００４２】
図２及び図３において、防塵用基板４０１は、例えばガラス等からなる透明基板である。防塵用基板４０１は、ＴＦＴアレイ基板１０の液晶層５０に対向する面とは反対側の面（即ち、図３中、下側の面）の全面に貼り付けられている（後述する図６及び図７も参照）。防塵用基板４０２は、防塵用基板４０１と同様に、例えばガラス等からなる透明基板である。防塵用基板４０２は、対向基板２０の液晶層５０に対向する面とは反対側の面（即ち、図３中、上側の面）の全面に貼り付けられている（後述する図６及び図７も参照）。防塵用基板４０１及び４０２によって、本実施形態に係る液晶装置５００が液晶プロジェクター１１００の液晶ライトバルブ１００として用いられた際に、ＴＦＴアレイ基板１０及び対向基板２０に粉塵が付着し、映写幕上にその粉塵の像もまた投影されてしまうことで発生する、画像品質の低下を防止できる。
【００４３】
次に、前述した液晶パネル５００が実装ケースに収容されてなる本実施形態に係る液晶装置の構成について、図４から図７を参照して説明する。
【００４４】
図４は、本実施形態に係る液晶装置１を液晶層５０に対して対向基板２０側から見た平面図である。図５は、本実施形態に係る液晶装置１を液晶層５０に対してＴＦＴアレイ基板１０側から見た平面図である。図６は、図５のVI−VI’線断面図である。図７は、図５のVII−VII’線断面図である。
【００４５】
図４から図７において、本実施形態に係る液晶装置１は、液晶パネル５００及び実装ケース６０１を備えている。
【００４６】
液晶パネル５００は、図２及び図３を参照して前述した形態を有しており、外部回路接続端子１０２（図２参照）には、ＦＰＣ５０１が接続されている。
【００４７】
図４、図６及び図７に示すように、実装ケース６０１は、液晶パネル５００を収容して保持する本発明に係る「保持部材」の一例としてのフレーム６１０と、フレーム６１０に被さるカバー部材６２０とからなる。フレーム６１０及びカバー部材６２０は、例えばアルミニウム等の金属等からそれぞれ形成されている。なお、フレーム６１０及びカバー部材６２０は、例えば樹脂等からそれぞれ形成されてもよい。
【００４８】
図４及び図５において、フレーム６１０の四隅には、取り付け穴６１５が設けられている。取り付け穴６１５は、液晶装置１を、図１に示した如き液晶プロジェクター１１００内に取り付けする際に利用される。即ち、液晶装置１は、取り付け穴６１５を貫通するネジを用いて液晶プロジェクター１１００にネジ止めすることにより、液晶プロジェクター１１００内に取り付けられる。
【００４９】
図４から図７において、液晶装置１は、防塵用基板４０２側（即ち、対向基板２０側）から光が入射し、液晶パネル５００を透過して、防塵用基板４０１側（ＴＦＴアレイ基板１０側）から出射するということを前提としている（図１において、ダイクロイックプリズム１１１２には、防塵用基板４０１ではなく防塵用基板４０１が対向していることになる）。液晶パネル５００は、その周縁側からフレーム６１０によって包囲された状態で、フレーム６１０に接着剤によって接着されることによって固定されて、フレーム６１０内に収容される。
【００５０】
カバー部材６２０は、開口部として窓部６２５（図４参照）が設けられた額縁状の本体と、本体の両脇に、フック６２７（図７参照）とを備えている。窓部６２５は、収容された液晶パネル５００の画像表示領域３０ａに光を透過させるために、画像表示領域３０ａと対向するように開口されている。このため、図１に示した液晶プロジェクター１１００内のランプユニット１１０２から発せられた光は、窓部６２５を通過して液晶パネル５００に入射可能となる。
【００５１】
フレーム６１０は、液晶パネル５００をその周縁側から包囲可能なように枠状に形成されており、矩形平面形状を有する液晶パネル５００の４辺の各々に沿って延びるフレーム部分６１１ａ、６１１ｂ、６１２ａ及び６１２ｂを有している。なお、フレーム部分６１１ａは、本発明に係る「第１保持部分」の一例であり、フレーム部分６１２ａ及び６１２ｂは、本発明に係る「第２保持部分」の一例である。
【００５２】
図５に示すように、フレーム部分６１１ａは、液晶パネル５００の冷却風が流入する方向と交差する辺５１１に沿って延びるように形成されている。
【００５３】
フレーム部分６１１ｂは、液晶パネル５００の辺５１１に対向する辺５１２に沿って延びるように形成されている。即ち、フレーム部分６１１ｂは、液晶パネル５００に対してフレーム部分６１１ａとは反対側に、フレーム部分６１１ａと同様に、冷却風が流入する方向と交差する方向に延びるように形成されている。なお、辺５１１は、辺５１２よりも冷却風の流れの上流側に位置する。
【００５４】
フレーム部分６１２ａは、液晶パネル５００の辺５１１に交差する辺５２１に沿って延びるように形成されている。言い換えれば、フレーム部分６１２ａは、冷却風が流入する方向に沿って延びるように形成されている。
【００５５】
フレーム部分６１２ｂは、液晶パネル５００の辺５２１に対向する辺５２２に沿って延びるように形成されている。言い換えれば、フレーム部分６１２ｂは、液晶パネル５００に対してフレーム部分６１２ａとは反対側に、フレーム部分６１２ａと同様に、冷却風が流入する方向に沿って延びるように形成されている。なお、辺５２２は、液晶パネル５００における辺５２１に対向する辺であり、辺５１１に交差する２つの辺のうち、辺５２１とは異なる辺である。
【００５６】
図６及び図７に示すように、本実施形態では特に、フレーム部分６１１ａは、液晶パネル５００の光出射側のパネル面５００Ｓ１と面一であるように形成され、フレーム部分６１２ａ及び６１２ｂは、パネル面５００Ｓ１より突出するように形成されている。
【００５７】
つまり、図６に示すように、本実施形態では特に、冷却風が流入する方向に交差する方向に沿って延びるフレーム部分６１１ａは、液晶パネル５００のパネル面Ｓ１と面一であるように、即ち、フレーム部分６１１ａの光出射側の面６１１ａｓとパネル面Ｓ１との間に段差がないように形成されている。さらに、図７に示すように、冷却風が流入する方向に沿ってそれぞれ延びるフレーム部分６１２ａ及び６１２ｂは、液晶パネル５００のパネル面Ｓ１より光出射側に突出するように、即ち、フレーム部分６１２ａの光出射側の面６１２ａｓと液晶パネル５００のパネル面Ｓ１との間、及びフレーム部分６１２ｂの光出射側の面６１２ｂｓと液晶パネル５００のパネル面Ｓ１との間の各々に段差Ｔ１が生じるように形成されている。
【００５８】
よって、例えば図８及び図９に示すように、冷却風を、液晶パネル５００のパネル面Ｓ１上を辺５１１側から辺５１２側に、フレーム部分６１２ａ及び６１２ｂに沿って滑らかに流すことができ、冷却風によって液晶パネル５００のパネル面Ｓ１から熱を効率的に放散することができる。なお、図８及び図９は、本実施形態における冷却風の流れの一例を概念的に示す図であり、図８は、図５に対応して示されており、図９は、図６に対応して示されている。
【００５９】
したがって、冷却風による液晶装置１の冷却効率を向上させることが可能になる。この結果、液晶層５０等の熱による劣化を抑制することができ、高品質な表示を行うことが可能になる。
【００６０】
さらに、本実施形態によれば、前述したように、フレーム部分６１２ａ及び６１２ｂが液晶パネル５００のパネル面Ｓ１より突出するように形成されているので、液晶装置１の製造プロセスにおいて、液晶パネル５００のパネル面Ｓ１に物が当たることを低減或いは防止でき、パネル面Ｓ１に傷が付いてしまうことを低減或いは防止できる。
【００６１】
以上説明したように、本実施形態に係る液晶装置１によれば、冷却風による液晶パネル５００の冷却効率を向上させることができる。さらに、製造プロセスにおいて、液晶パネル５００のパネル面Ｓ１に傷が付いてしまうことを低減或いは防止できる。
【００６２】
＜第２実施形態＞
第２実施形態に係る液晶装置について、図１０を参照して説明する。
【００６３】
図１０は、第２実施形態に係る液晶装置の断面図であり、図７と同趣旨の断面図である。なお、図１０において、図１から図９に示した第１実施形態に係る構成要素と同様の構成要素に同一の参照符合を付し、それらの説明は適宜省略する。
【００６４】
図１０において、第２実施形態に係る液晶装置１ｂは、前述した第１実施形態におけるフレーム６１０に代えてフレーム６１０ｂを備える点で、前述した第１実施形態に係る液晶装置１と異なり、その他の点については、前述した第１実施形態に係る液晶装置１と概ね同様に構成されている。
【００６５】
フレーム６１０ｂは、前述した第１実施形態におけるフレーム部分６１２ａ及び６１２ｂにそれぞれ代えてフレーム部分６１２ｂａ及び６１２ｂｂを備える点で、前述した第１実施形態におけるフレーム６１０と異なり、その他の点については、前述した第１実施形態におけるフレーム６１０と概ね同様に構成されている。なお、フレーム部分６１２ｂａ及び６１２ｂｂは、本発明に係る「第２保持部分」の一例である。
【００６６】
フレーム部分６１２ｂａは、液晶パネル５００の辺５１１に交差する辺５２１（図５参照）に沿って延びるように形成されている。言い換えれば、フレーム部分６１２ｂａは、冷却風が流入する方向に沿って延びるように形成されている。
【００６７】
フレーム部分６１２ｂｂは、液晶パネル５００の辺５２１に対向する辺５２２に沿って延びるように形成されている。言い換えれば、フレーム部分６１２ｂｂは、液晶パネル５００に対してフレーム部分６１２ｂａとは反対側に、フレーム部分６１２ｂａと同様に、冷却風が流入する方向に沿って延びるように形成されている。
【００６８】
本実施形態では特に、フレーム部分６１２ｂａ及び６１２ｂｂは、液晶パネル５００の光出射側のパネル面５００Ｓ１より突出するように形成されているとともに、液晶パネル５００の光入射側のパネル面５００Ｓ２より突出するように形成されている。即ち、冷却風が流入する方向に沿ってそれぞれ延びるフレーム部分６１２ｂａ及び６１２ｂｂは、フレーム部分６１２ｂａの光出射側の面６１２ｂａｓ１と液晶パネル５００のパネル面Ｓ１との間、及びフレーム部分６１２ｂｂの光出射側の面６１２ｂｂｓ１と液晶パネル５００のパネル面Ｓ１との間の各々に段差Ｔ１が生じるように形成されるとともに、フレーム部分６１２ｂａの光入射側の面６１２ｂａｓ２と液晶パネル５００のパネル面Ｓ２との間、及びフレーム部分６１２ｂｂの光入射側の面６１２ｂｂｓ２と液晶パネル５００のパネル面Ｓ２との間の各々に段差Ｔ２が生じるように形成されている。
【００６９】
よって、冷却風を、液晶パネル５００のパネル面Ｓ１及びＳ２の各々上を辺５１１側から辺５１２側に、フレーム部分６１２ｂａ及び６１２ｂｂに沿って滑らかに流すことができ、冷却風によって液晶パネル５００のパネル面Ｓ１及びＳ２から熱を効率的に放散することができる。したがって、冷却風による液晶装置１ｂの冷却効率をより一層向上させることが可能になる。
【００７０】
さらに、本実施形態によれば、前述したように、フレーム部分６１２ｂａ及び６１２ｂｂが液晶パネル５００のパネル面Ｓ１及びＳ２の各々より突出するように形成されているので、液晶装置１ｂの製造プロセスにおいて、液晶パネル５００のパネル面Ｓ１及びＳ２に物が当たることを低減或いは防止でき、パネル面Ｓ１に傷が付いてしまうことを低減或いは防止できる。
【００７１】
＜第３実施形態＞
第３実施形態に係る液晶装置について、図１１から図１３を参照して説明する。
【００７２】
図１１は、第３実施形態に係る液晶装置を液晶層に対してＴＦＴアレイ基板側から見た平面図である。図１２は、図１１のXII−XII’線断面図である。図１３は、図１１のXIII−XIII’線断面図である。なお、図１１から図１３において、図１から図９に示した第１実施形態に係る構成要素と同様の構成要素に同一の参照符合を付し、それらの説明は適宜省略する。
【００７３】
図１１に示すように、第３実施形態では、液晶装置に冷却風が流入する方向が前述した第１実施形態と異なる。即ち、前述した第１実施形態では、液晶パネル５００の辺５１１と交差する方向に沿って冷却風が流入するのに対して、第３実施形態では、液晶パネル５００の辺５２２と交差する方向に沿って冷却風が流入する（言い換えれば、液晶パネル５００の辺５１１に沿う方向に沿って冷却風が流入する）。
【００７４】
図１１から図１３において、第３実施形態に係る液晶装置１ｃは、前述した第１実施形態におけるフレーム６１０に代えてフレーム６１０ｃを備える点で、前述した第１実施形態に係る液晶装置１と異なり、その他の点については、前述した第１実施形態に係る液晶装置１と概ね同様に構成されている。
【００７５】
フレーム６１０ｃは、液晶パネル５００をその周縁側から包囲可能なように枠状に形成されており、矩形平面形状を有する液晶パネル５００の４辺の各々に沿って延びるフレーム部分６１１ｃａ、６１１ｃｂ、６１２ｃａ及び６１２ｃｂを有している。なお、フレーム部分６１１ｃａは、本発明に係る「第２保持部分」の一例であり、フレーム部分６１２ｃａ及び６１２ｃｂは、本発明に係る「第１保持部分」の一例である。
【００７６】
図１１に示すように、フレーム部分６１２ｃｂは、液晶パネル５００の冷却風が流入する方向と交差する辺５２２に沿って延びるように形成されている。
【００７７】
フレーム部分６１２ｃａは、液晶パネル５００の辺５２２に対向する辺５２１に沿って延びるように形成されている。即ち、フレーム部分６１２ｃａは、液晶パネル５００に対してフレーム部分６１２ｃｂとは反対側に、フレーム部分６１２ｃｂと同様に、冷却風が流入する方向と交差する方向に延びるように形成されている。なお、辺５２２は、辺５２１よりも冷却風の流れの上流側に位置する。
【００７８】
フレーム部分６１１ｃａは、液晶パネル５００の辺５２２に交差する辺５１１に沿って延びるように形成されている。言い換えれば、フレーム部分６１１ｃａは、冷却風が流入する方向に沿って延びるように形成されている。
【００７９】
フレーム部分６１１ｃｂ（図１２参照）は、液晶パネル５００の辺５１１に対向する辺５１２に沿って延びるように形成されている。言い換えれば、フレーム部分６１１ｃｂは、液晶パネル５００に対してフレーム部分６１１ｃａとは反対側に、フレーム部分６１１ｃａと同様に、冷却風が流入する方向に沿って延びるように形成されている。
【００８０】
図１２及び図１３に示すように、本実施形態では特に、フレーム部分６１２ｃｂ及び６１２ｃａは、液晶パネル５００の光出射側のパネル面５００Ｓ１と面一であるように形成され、フレーム部分６１１ｃａは、パネル面５００Ｓ１より突出するように形成されている。
【００８１】
つまり、図１３に示すように、本実施形態では特に、冷却風が流入する方向に交差する方向に沿って延びるフレーム部分６１２ｃｂ及び６１２ｃａは、液晶パネル５００のパネル面Ｓ１と面一であるように、即ち、フレーム部分６１２ｃｂの光出射側の面６１２ｃｂｓとパネル面Ｓ１との間、及びフレーム部分６１２ｃａの光出射側の面６１２ｃａｓとパネル面Ｓ１との間の各々に段差がないように形成されている。さらに、図１２に示すように、冷却風が流入する方向に沿って延びるフレーム部分６１１ｃａは、液晶パネル５００のパネル面Ｓ１より光出射側に突出するように、即ち、フレーム部分６１１ｃａの光出射側の面６１１ｃａｓと液晶パネル５００のパネル面Ｓ１との間に段差Ｔ３が生じるように形成されている。
【００８２】
よって、冷却風を、液晶パネル５００のパネル面Ｓ１上を辺５２２側から辺５２１側に、フレーム部分６１１ｃａに沿って滑らかに流すことができ、冷却風によって液晶パネル５００のパネル面Ｓ１から熱を効率的に放散することができる。したがって、冷却風による液晶装置１ｃの冷却効率を向上させることが可能になる。この結果、液晶層５０等の熱による劣化を抑制することができ、高品質な表示を行うことが可能になる。
【００８３】
さらに、本実施形態によれば、前述したように、フレーム部分６１１ｃａが液晶パネル５００のパネル面Ｓ１より突出するように形成されているので、液晶装置１ｃの製造プロセスにおいて、液晶パネル５００のパネル面Ｓ１に物が当たることを低減或いは防止でき、パネル面Ｓ１に傷が付いてしまうことを低減或いは防止できる。
【００８４】
なお、本発明を適用可能な電子機器としては、図１を参照して説明した投射型液晶プロジェクターの他にも、モバイル型のパーソナルコンピューターや、携帯電話、液晶テレビ、ビューファインダー型、モニター直視型のビデオテープレコーダー、カーナビゲーション装置、ページャー、電子手帳、電卓、ワードプロセッサー、ワークステーション、テレビ電話、ＰＯＳ端末、タッチパネルを備えた装置等が挙げられる。そして、これらの各種電子機器に適用可能なのは言うまでもない。
【００８５】
また本発明は、前述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【００８６】
本発明は、前述した実施形態に限られるものではなく、特許請求の範囲及び明細書全体から読み取れる発明の要旨或いは思想に反しない範囲で適宜変更可能であり、そのような変更を伴う電気光学装置及び該電気光学装置を備えてなる電子機器もまた本発明の技術的範囲に含まれるものである。
【符号の説明】
【００８７】
１、１ｂ、１ｃ…液晶装置、１０…ＴＦＴアレイ基板、２０…対向基板、５０…液晶層、４０１、４０２…防塵用基板、５００…液晶パネル、５１１、５１２、５２１、５２２…辺、６０１…実装ケース、６１０、６１０ｂ、６１０ｃ…フレーム、６１１ａ、６１１ｂ、６１２ａ、６１２ｂ…フレーム部分、６２０…カバー部材、１１００…液晶プロジェクター、１３００…シロッコファン、Ｓ１、Ｓ２…パネル面。
【図１】
2015232716.tif 000003
【図２】
2015232716.tif 000004
【図３】
2015232716.tif 000005
【図４】
2015232716.tif 000006
【図５】
2015232716.tif 000007
【図６】
2015232716.tif 000008
【図７】
2015232716.tif 000009
【図８】
2015232716.tif 000010
【図９】
2015232716.tif 000011
【図１０】
2015232716.tif 000012
【図１１】
2015232716.tif 000013
【図１２】
2015232716.tif 000014
【図１３】
2015232716.tif 000015
【手続補正書】
【提出日】平成27年7月30日(2015.7.30)
【手続補正１】
【補正対象書類名】特許請求の範囲
【補正対象項目名】全文
【補正方法】変更
【補正の内容】
【特許請求の範囲】
【請求項１】
電気光学パネルと、
該電気光学パネルを保持する保持部材と、
該電気光学パネルに接続されたフレキシブルプリント配線板と、
を備え、
前記保持部材は、
前記電気光学パネルの第１辺に対応する第１保持部分と、
前記第１辺に交差する前記電気光学パネルの第２辺に対応する第２保持部分と、
前記第１辺に対向する前記電気光学パネルの第３辺に対応する第３保持部分と、
を有し、
前記第１辺と前記第３辺は、冷却風が流入する方向に沿うように配置され、
前記第２辺は、前記冷却風が流入する方向に交差する方向に沿うように配置され、
前記フレキシブルプリント配線板は、前記第３保持部分から前記冷却風が流入する方向に交差する方向に延在するように配置され、
前記第１保持部分は、前記電気光学パネルの光入射側及び光出射側の少なくとも一方のパネル面より突出する部分を有し、
前記第２保持部分は、前記電気光学パネルの光入射側及び光出射側の少なくとも一方のパネル面から突出する部分を有さない、
ことを特徴とする電気光学装置。
【請求項２】
前記第３保持部分は、前記電気光学パネルの光入射側及び光出射側の少なくとも一方のパネル面から突出する部分を有さない、
ことを特徴とする請求項１に記載の電気光学装置。
【請求項３】
請求項１または２に記載の電気光学装置を備えることを特徴とする電子機器。